(57)【特許請求の範囲】
【請求項１】
糊代、前板、第１側板、後板、第２側板が、この順に折線を介して連接され、筒貼りされてなる筒状胴部の上辺と下辺に折線を介して連接された頭部フラップ及び底部フラップが折り返されて成形されるカートンであって、前記第２側板上部側辺に折線を介して回動片を連接し、該回動片の上辺にひれ状のガイド板を折線を介して上方向に突き出るように延設し、前記回動片の第２側板側の上辺コーナーから前記回動片を斜めに横切る折線を設け、前記前板上部に前記糊代に沿って振出し開口部を設け、前記ガイド板を頭部フラップ間に摺動するように挿入してなり、前記回動片に設けた斜めに横切る前記折線を折り曲げることにより、前記回動片が９０度以上の角度で開くことを可能としたことを特徴とすることを特徴とする振出しカートン。
【請求項２】
前記振出し開口部の再封時に、該振出し開口部を口蓋として覆う前記回動片の中段に設けられた花弁状突起片が、前記前板より内側に押し込まれて前記回動片が前記前板に係止されることを特徴とする請求項１記載の振出しカートン。
【発明の詳細な説明】
【０００１】
【発明の属する技術分野】
本発明はカートン側部より粒状の商品を容易に取り出せる振出しカートンに関する。
【０００２】
【従来の技術】
この種の振出しカートンは片手で持ち易い大きさの直方体のカートンが一般的であり、いずれもカートン側部に振出し開口部が設けられ、そこから粒状の商品を取り出し易くなっている。
例をあげれば、実公昭５４−２２５０３号公報では図５に示すような振出しカートン３０Ａが提案されており、振出し開口部Ｍを覆っている口蓋として機能する回動片Ｆが連接しているガイド板Ｇに従って回動し、開封、封止を繰り返すようになっている。
図６に示す特願平７−１１７７０１号に提案されている振出しカートン３０Ｂの振出し口の形成原理は前述のものと同様であるが、ガイド板Ｇの先にさらに掛止片Ｋを延設し、回動片Ｆの回動角度を広げると同時に全開時における係止をしっかりしたものにしている。
【０００３】
【発明が解決しようとする課題】
しかるに、図５に示す実公昭５４−２２５０３号公報の提案は、回動片Ｆが最大に開いても図５（ｂ）に示すように６０°止まりであって、この状態では振出し時に回動片Ｆが邪魔をして振出しにくいという問題がある。
この点を改良したものが図６に示す特願平７−１１７７０１号提案であって、この提案は、ガイド板Ｇの先端に止掛片Ｋを延設し、回動片Ｆをさらに広角度に開けようとするものである。この提案は確かに広角化の課題は解決しているが、カートン成形時にガイド板Ｇを折り返しさらにその先端に設けた止掛片Ｋを側板３に沿って折り込まなければならないという手間のかかる問題がある。
本発明は、前述の問題点に鑑みてなされたものでワンピースのブランクから成形時に手間を掛けずに容易に組立てることができ、口蓋となる回動片がすくなくとも９０°以上の角度に開いて内容物を取り出し易くし、再封時に回動片が開口部周辺に係止する振出しカートンの提供を目的とする。
【０００４】
【課題を解決するための手段】
前記課題を解決するためになされた本発明による振出しカートンは、糊代、前板、第１側板、後板、第２側板が、この順に折線を介して連接され、筒貼りされてなる筒状胴部の上片と下辺に折線を介して連接された頭部及び底部フラップが折り返されて成形されるカートンにおいて、前記第２側板上部側辺に折線を介して回動片を連接し、該回動片の上辺にひれ状のガイド板を折線を介して上方向に突き出るように延設し、前記回動片の第２側板側の上辺コーナーから前記回動片を斜めに横切る折線を設け、前記前板上部に前記糊代に沿って振出し開口部を設け、前記ガイド板を頭部フラップ間に摺動するように挿入してなり、前記回動片に設けた斜めに横切る前記折線を折り曲げることにより、前記回動片が９０度以上の角度で開くことを可能としたことしたことを特徴とする振出しカートンであり、また、前記振出し開口部の再封時に、該振出し開口部を口蓋として覆う前記回動片の中段に設けられた花弁状突起片だけを、前記前板より内側に押し込んで前記回動片を前記前板に係止することを構成とする。
【０００５】
【発明の実施の形態】
以下図面によって本発明の振出しカートンをさらに詳細に説明する。
本発明による振出しカートンは頭部と底部が糊貼りで形成されるシールエンドカートンでも差し込みベロカートンでもよいが、以下シールエンドカートンをベースとして説明する。
図１は本発明による振出しカートンのブランク展開図である。
本発明による振出しカートンのカートンブランク１０は、糊代５、前板１、第１側板２、後板３、第２側板４が、この順に折線ａ〜ｄを介して連接され、それらの上片と下辺には、折線ｅ，ｆを介して頭部フラップＦ１〜Ｆ４及び底部フラップＢ１〜Ｂ４が連接されている。
第２側板４上部側辺には、折線ｇを介して回動片６が連接され、またこの上辺には、ひれ状のガイド板７が折線ｉを介して上方向に突き出るように延設されている。
本発明のポイントは、回動片６の第２側板４側の上辺コーナーから回動片６を斜めに横切る折線ｈが設けられて回動片６が６Ａ，６Ｂに分割され、回動片６とガイド片７からなる部分が折線ｈと折線ｉで二段階に折り曲げ可能になっていることである。
一方前板１の上部には、振出し開口部８が糊代５に沿って打ち抜かれている。さらに回動片６の中段には再封時に回動片６を開口部８周辺に係止する突起片Ｒが設けられている。
【０００６】
以上の構成からなるブランクから本発明による振出しカートンを成形するには、先ずブランク１０を折線ｂ，ｄで三つ折りしてサック貼りを行い、糊代５と第２側板４を糊貼りし、フラットな折り畳みカートンを形成し、その状態でユーザーに供給する。ユーザーはこれを起こして筒状とし、頭部あるいは底部のいずれか一方の端部を成形してから内容物を充填後残りの端部を成形すればよい。この場合頭部の成形は、サブフラップＦ１，Ｆ３を折り返し、次にガイド板７をその上に折り返し、最後にメインフラップＦ２，Ｆ４を折り返してメインフラップＦ２，Ｆ４同志で糊付けすればよい。
【０００７】
次に図２、図３によって、本発明による振出しカートンの機能を説明する。
図２は本発明による振出しカートンの斜視図であり、図３は振出し口の正面図である。ここで「振出し口」は振出し開口部８とガイド板等の周辺パーツを含むものとする。
図２（ａ）は全開時の振出しカートンの斜視図であり、
図２（ａ）に示す開封状態は、図３（ａ）に示す未開封状態の振出し口の振出し開口部８を覆って口蓋の機能をはたしている回動片６をその側辺に指を掛けて前板１との角度が略６０°になるまで回動（スウィング）させた状態である。この状態は従来の振出しカートンが形成する振出し口と略同角である。しかるに本発明による振出しカートン２０は、ここからさらに広角に回動片６を回動することができる。図２（ｂ）は９０°よりも僅かに大きな角度まで回動片６を回動した状態で、この状態はまた図３（ｂ）によっても示されている。
このような広角化は、回動片６が折線ｈで折れ曲がることによって可能になる。この図２（ｂ）、図３（ｂ）の状態では、ガイド板７の先端部も前板１の上辺との交差部で若干折れ曲がり、図３（ｂ）に示すようにガイド板７は内側に傾斜してくる。この状態での粒状物の振出し易さは最高である。すなわち振出しカートン２０を大きく傾けなくとも開口部８を出た粒状物は回動片６Ａ、６Ｂ，ガイド板７で形成される折り曲げられた壁面が案内板となって略一定の方向に整列して振り出され、好みの数量だけを容易に取り出すこともできる。
なお、図２（ｃ）には略１３５°回動した状態を示しているが、この状態では回動片６は開き過ぎ、またガイド板も内側に倒れすぎて、前述の良好な案内板にはなりにくい。従って回動片が１１０°〜１２０°近辺で止まりそれ以上回動しないように、ストッパーとしても機能するガイド板７の形状をガイド板の先端Ｓが第２側板２の上端と係止するように設計すればよい。
【０００８】
また、回動片６は折線ｇをヒンジとして回動するので折線ｇをリード罫（罫線上に破線状の切れ目線を入れた折線）にして耐折抵抗を少なくしておくことが好ましい。また開口片６とガイド板７を連接する折線ｉ，開口片６を折り曲げる折線ｈもリード罫にしておくことが好ましい。
【０００９】
図３（ａ）に示す未開封の振出し口を開封して図３（ｂ）のように開封した振出しカートン２０を再封する場合に、図３（ｃ）に示すように、再封時に回動片６を軽く押し込むと、回動片６のエッジに設けられた花弁状突起片Ｒだけが、前板１より内側に押し込まれ、振出し口全体を係止するので、不用意に振出し口が開くことがない。
【００１０】
図３（ａ）に示す未開封の振出しカートン２０あるいは図３（ｃ）に示す再封された振出しカートン２０は、回動片６のエッジに指をかけて前側に引き出すと振出し口が容易に形成できる。このエッジの部分は振出しカートン２０の物流の上で支障を来さない範囲に第１側板２よりも僅かに突き出るようにしておくとさらに開けやすくなる。その範囲は０．５〜１．５ｍｍが好ましい。
またガイド板７は頭部フラップと摺動するため摩擦抵抗が生じ、そのために振出し口を適度な半開の状態に止めておくことも可能である。
【００１１】
本発明による振出しカートン基材には広範囲の板紙の使用が可能である。しかし、開閉が長期にわたり繰り返されると前述のガイド板７の係止部Ｓや突起片Ｒから破壊が起こり、全開時と閉鎖時の係止が甘くなったり、あるいはガイド板７が係止しないで抜け出る可能性がある。
これを防ぐには特板系、カード系等の腰があり、強靱な板紙の使用が好ましく、さらにプラスチックフィルム例えば、ポリ塩化ビニル、ポリプロピレン、ポリエチレン、ポリエチレンテレフタレート、ポリカーボネート、ポリスチレン等を板紙にラミネートしてもよい。また、このラミネートによって防湿性の向上を図ることもできる。
【００１２】
また板紙への印刷にはオフセット、グラビア、シルクスクリーン等のいかなる手法を用いてもよい。またカートンの成形と振出し口の開閉機能を損なわない程度にエンボス、箔押し、ＯＰニスコート等の後加工を行ってもよい。
さらに本発明による振出しカートンはこのままでは密封性はなく、悪戯防止機能も備えていないため、成形充填後に振出しカートン２０全体をシュリンクフィルムあるいは防湿性プラスチックフィルムでオーバーラップすることが好ましい。
【００１３】
【実施例】
内容量が４５ｍｌの実施例サンプルを特板、ウルトラＨ，大昭和製紙社製、２６０ｇ／ｍ2 を使用して図４の実施例寸法指定図に従って試作し、また、比較例として略同一容量の図５に示す振出しカートンを試作し、その中に粒チョコレートを充填し、振出しカートン適性を１０人のパネラーによって比較テストを行った。
実施例の場合、口蓋を兼ねる回動片の回転角度が９０°を越えるので、振出しカートン２０を大きく傾けなくとも、内容物の取り出しが可能で、またガイド板６Ａ，６Ｂ，ガイド板７の存在によって振出しの方向性が安定し、整列した状態で内容物を取り出すことができた。
再封時の回動片７の係止が比較例ではできなかったが、実施例では回動片７を指先で押さえ込むだけで容易に開口部の周辺と係止でき不用意に内容物がこぼれ出ることがなかった。
またカートン成形も従来の振出しカートンに較べて容易で、従来の成形、充填機を僅かに改良するだけで流用することができる。
【００１４】
【発明の効果】
本発明による振出しカートンによれば、振出し口に広角に開く取り出し用案内板を回動片とガイド片で形成でき、内容物がカートンを大きく傾けなくとも、良好な方向性をもって取り出すことができ、また振出し口が全開時と再封時に係止して抜け落ちたり不用意に開封する心配がなく、また任意の半開封の位置で振出口を止めることができる。
さらにシールドカートンの場合は、板紙の使用面積も少なく、機械貼加工が従来の振出しカートンより容易に行うことができるので、経済コストでの提供が可能である。
【図面の簡単な説明】
【図１】本発明による振出しカートンのブランク展開図
【図２】本発明による振出しカートンの斜視図
【図３】本発明による振出しカートンの振出し口の正面図
【図４】本発明による振出しカートンの実施例寸方指定図
【図５】従来の振出しカートン第１説明図
【図６】従来の振出しカートン第２説明図
【符号の説明】
１      前板
２      第１側板
３      後板
４      第２側板
５      糊代
６      回動片
７      ガイド板
８      振出し開口部
１０      本発明による振出しカートンブランク
ａ〜ｉ    折線
Ｂ１〜Ｂ４  底部フラップ
Ｆ１〜Ｆ４  頭部フラップ
Ｆ      口蓋（回動片）
Ｇ      ガイド板
Ｍ      開口部
Ｒ      花弁状突起片
Ｓ      ガイド板の係止部
【図１】
0003868540.tif 000002
【図２】
0003868540.tif 000003
【図３】
0003868540.tif 000004
【図４】
0003868540.tif 000005
【図５】
0003868540.tif 000006
【図６】
0003868540.tif 000007